(57)【要約】本発明は、ＤＶＤまたはコンパクトディスクなどのデジタルメディアを運搬するためのパッケージングシステムおよび装置に向けられている。本発明の１つの好適な実施形態によると、そのパッケージングシステムは、ＤＶＤまたはコンパクトディスクなどのデジタルメディアを保持するための高密度のポリエチレン繊維材料からなる内側ポケットと、その内側ポケットが内部に挿入され得るボール紙などの強化材料からなる保護ジャケットと、その保護ジャケットおよびそのデジタルメディアを含むその内側ポケットがその内部に挿入され得る口を有する軽量封筒とを含み、その封筒は、封筒の封をするための取り外し可能なふたを有する。【特許請求の範囲】
【請求項１】
デジタルメディアを運搬するためのシステムであって、該システムは、
デジタルメディアがその内部に挿入され得る口を有する内側ポケットと、
該内側ポケットがその内部に挿入され得る折り曲げ可能なジャケットと、
該折り曲げ可能なジャケットがその内部に挿入され得る口を有する封筒と
を備え、
該折り曲げ可能なジャケットが強化材料からなる、システム。
【請求項２】
前記封筒が、該封筒の中に前記折り曲げ可能なジャケットの封をする取り外し可能なシール用ふたを含む、請求項１に記載のシステム。
【請求項３】
前記内側ポケットが高密度のポリエチレン繊維材料からなる、請求項１に記載のシステム。
【請求項４】
前記デジタルメディアがＤＶＤである、請求項１に記載のシステム。
【請求項５】
前記封筒が、７５ｇ／ｍ２未満の紙の重さを有する軽量紙からなる、請求項１に記載のシステム。
【請求項６】
前記強化材料が、ボール紙またはプラスチックのうちの一方である、請求項１に記載のシステム。
【請求項７】
前記封筒が、該封筒の口と前記ふたの側縁部とを接合する折り曲げ可能なフラップを含む、請求項２に記載のシステム。
【請求項８】
前記折り曲げ可能なフラップの内面が接着剤でコーティングされている、請求項７に記載のシステム。
【請求項９】
デジタルメディアを運搬するためのシステムであって、該システムは、
該デジタルメディアがその内部に挿入され得る折り曲げ可能なジャケットと、
該折り曲げ可能なジャケットがその内部に挿入され得る口を有する封筒と
を備え、
該折り曲げ可能なジャケットは強化材料からなり、
該折り曲げ可能なジャケットの内面が非磨耗性テクスチャを有する、システム。
【発明の詳細な説明】
【技術分野】
【０００１】
本発明は、デジタルメディア（例えば、コンパクトディスクまたはＤＶＤ）を保護するシステムおよび装置に向けられており、デジタルメディアを物理的に運搬する間におけるデジタルメディアの保護を提供するようにする。
【背景技術】
【０００２】
インターネットによって、郵送でのデジタルメディアの購入およびレンタルが普及してきた。従来のレンタル店からＤＶＤまたはビデオゲームディスク（例えば、Ｘｂｏｘ、Ｐｌａｙ  ＳｔａｔｉｏｎまたはＧａｍｅ  Ｃｕｂｅのゲーム）を購入またはレンタルするよりもむしろ、多くの消費者は、インターネットを用いてデジタルメディアを選択しレンタルまたは購入する。そのデジタルメディアは、通常は、Ｕ．Ｓ．ｍａｉｌまたは多くある商用郵便の配達員を介して消費者に配達される。インターネット上でデジタルメディアをレンタルまたは購入できることによって、従来の店に訪れる必要がなくなり、多くの場合、消費者が、入手可能なデジタルメディアをより多くの選択肢から選択することが可能になる。
【０００３】
ＤＶＤまたはコンパクトディスクなどのデジタルメディアは比較的薄く、過度の曲げまたは押し延ばしにより破損し得て、かつ、壊れやすい商品は、郵便での運搬の間における破損の原因となる種々の条件を受けやすくあり得るので、デジタルメディアへの損傷を防ぐために、運搬中にデジタルメディアを保護することは必要である。デジタルメディアを郵送する従来の一方法は、製造者のオリジナルの保護パッケージング（例えば、オリジナルのコンパクトディスクケースまたはＤＶＤケース）をシンプルに用いることである。しかし、それらは比較的サイズが大きく重いので、デジタルメディアを製造者のオリジナルのパッケージングで郵送することは高価であり得る。
【０００４】
デジタルメディアを郵便で運搬する別の方法は、分厚いボール紙のような封筒を用いることであり、その内部に含まれるデジタルメディアに強固な支持が提供されるようにする。分厚いボール紙の封筒は、標準の封筒よりも重いので、購入にも郵送にも費用がかかる。
【０００５】
本発明は、デジタルメディアを運搬するコストを最小レベルに保ちながら、郵便での運搬の間におけるデジタルメディアの保護システムを提供することによって上述した方法の欠点を解消することを目的とする。
【発明の開示】
【発明が解決しようとする課題】
【０００６】
（本発明の概要）
本発明は、商用搬送サービス（例えば、Ｕ．Ｓ．ｍａｉｌサービス）を介したデジタルメディアの運搬に対する保護システムを提供する。本発明の目的は、運搬中にデジタルメディアが損傷を受けるのを防ぐように、郵便での運搬中にデジタルメディアに保護を提供することである。本発明の別の目的は、デジタルメディアの運搬のコストを低減することである。
【課題を解決するための手段】
【０００７】
上記目的を達成するために、本発明は、本体封筒１３とふた１１とを有する運搬用パッケージ１０を含むデジタルメディアの運搬システムに向けられており、そのシステムでは、運搬されるデジタルメディア１６が内側ポケット１５に挿入され、そのポケットは次には保護ジャケット１２に挿入され、そのジャケットは次には本体封筒１３に挿入される。運搬用パッケージ１０は、デジタルメディアの消費者に、内側ポケット１５と、保護ジャケット１２と、本体封筒１３とをシンプルに再使用することによる元の差出人へのデジタルメディアの返却を提供する。
【発明を実施するための最良の形態】
【０００８】
図１〜７を参照して、本発明の好適な実施形態の詳細を以下に説明する。
【０００９】
図５は、デジタルメディア１６（そのデジタルメディアは、コンパクトディスク、ＤＶＤ、ビデオコンソールディスクなどであり得る）を保護し運搬するパッケージングシステム１０の詳細図を示す。パッケージングシステム１０は、取り外し可能なふた１１を備えた封筒１３と、デジタルメディア１６がその内部に挿入され得る内側ポケット１５と、内側ポケット１５がその間に挿入され得る保護ジャケット１２とを含む。保護ジャケット１２は、封筒１３の口に挿入され、次いで、その封筒はふた１１を閉めることによって封がされ得る。図１は、運搬される準備のできた封止状態のパッケージングシステム１０を示し、図２〜４は、パッケージングシステム１０を用いた運搬に対するデジタルメディアの準備の各段階をさらに示す。具体的には、図５に示すようにデジタルメディアを内側ポケット１５に挿入した後において、図４に示すように保護ジャケット１２の折り目の間に内側ポケット１５が挿入される。次いで、図３および図２に示すように、保護ジャケット１２を封筒１３の口に挿入し、その後、ワックスストリップ１９が取り除かれてふた１１の端部に位置する接着性ストリップ１８を露出し、次いで、ミシン目エッジ２２の上に折りたたまれ、封筒１３が封をされる。指定の受取人または消費者にデジタルメディアを郵送するために、郵便宛先ラベル２０が、ふた１１の外面に貼られ得る。
【００１０】
好適な実施形態によると、封筒１３は、パッケージシステム１の総重量を軽くするために、一平方メートルあたり７５グラム以下の重量を有する軽量紙からなることが好ましい。また、好適な実施形態による、内側ポケット１５は、デジタルメディア１６の表面に耐久性の保護を提供するように、非磨耗性の材料（例えば、軽量、高密度、ポリエチレン繊維）からなることが好ましい。高密度のポリエチレン繊維の一例は、Ｔｙｖｅｋ（登録商標）のブランド名でＤｕＰｏｎｔによって作成されている。最後に、保護ジャケット１２は、その内部に挿入されるデジタルメディアに構造上の支持を提供するように、軽量だが強固な強化材料（例えば、ボール紙またはプラスチック）からなることが好ましい。
【００１１】
デジタルメディアのレンタルの場合では、消費者がデジタルメディアを使用し終わった後に、ベンダーにデジタルメディア１６を返却する必要があり得る。図６および図７は、ミシン目エッジ２３においてふた１１が取り外された後における封筒１３を示す。内側ポケット１５とデジタルメディア１６を含む保護ジャケット１２は、封筒１３に再び挿入され、再びベンダーにデジタルメディア１６を再運搬するためにフラップ１７を用いて封がされる。好ましくは、フラップ１７は、ワックスストリップ１４によって保護された接着層を含み、そのストリップは、フラップ１７を用いて封筒１３の封をする前にはがされるべきである。好ましくは、返信郵送宛先ラベル２１は、パッケージングシステム１０を開く前に、ふた１１によって以前にカバーがかけられた封筒１３の表面に貼られる。
【００１２】
返却されたデジタルメディアを受け取ると、ベンダーは、デジタルメディアの今後の運搬のために、少なくとも内側ポケット１５と保護ジャケット１２とを再使用し得る。内側ポケット１５と保護ジャケットとを再使用できることによって、環境にやさしいリサイクルが促進され、その一方で、包装材料を再注文するコストを低く抑える。
【００１３】
代替実施形態では、パッケージングシステム１０は、内側ポケット１５は使用しない。その代わりに、取り扱いおよび運搬の間においてデジタルメディアに傷をつけないように、保護ジャケット１２の内面は、非磨耗性の材料でコーティングされているか、その材料から作成されているか、高密度のポリエチレン繊維の表面と同様の表面かのいずれかである。
【００１４】
本発明は、その精神または本質的な特徴から逸脱することなく上述した好適な実施形態以外の形態において具体化され得るということに留意されたい。ここに含まれる明細書は、当業者が、好適な実施形態を含めた本発明の様々な実施形態をインプリメントするのに十分な開示を提供する。その実施形態は、全局面において例示であり本発明を限定するものではないとみなされるべきである。特許請求の範囲の意味および範囲または均等物の範囲に含まれる全ての変更形態または代替形態が包含されると解釈される。
【図面の簡単な説明】
【００１５】
【図１】本発明の好適な実施形態によるデジタルメディアを保護および運搬するためのパッケージングシステムの図である。
【図２】図１のパッケージングシステムの開いた配置の図である。
【図３】図１のパッケージングシステムの開いた配置のさらなる図である。
【図４】図１のパッケージングシステムの基本部品の詳細図である。
【図５】図１のパッケージングシステムの基本部品のさらに別の詳細図である。
【図６】図１のパッケージシステムの取り外し可能なふたを取り除いた図である。
【図７】図６のパッケージングシステムの別の図である。
【図１】
2007507401.tif 000002
【図２】
2007507401.tif 000003
【図３】
2007507401.tif 000004
【図４】
2007507401.tif 000005
【図５】
2007507401.tif 000006
【図６】
2007507401.tif 000007
【図７】
2007507401.tif 000008
【手続補正書】
【提出日】平成17年6月22日(2005.6.22)
【手続補正１】
【補正対象書類名】特許請求の範囲
【補正対象項目名】全文
【補正方法】変更
【補正の内容】
【特許請求の範囲】
【請求項１】
デジタルメディアを運搬するためのシステムであって、該システムは、
デジタルメディアがその内部に挿入され得る口を有する内側ポケットと、
前面および裏面を有する封筒であって、該内側ポケットが挿入され得る口と、該封筒の内側にある内側ポケットの封をし、取り外し可能な部分および再封部分を有するシール部分と、を有する封筒と
を備え、
該封筒の該前面が郵便宛先を表示し、
該分離可能な部分が該封筒の前面の該郵便宛先を覆い、
該封筒は、該シール部分の分離可能な部分を切り離すことによって、開封され得、該郵便宛先が明らかになり、
該封筒は、該シール部分の該分離可能な部分が切り離された後、該シール部分の再封部分を使用して、再封され得る、システム。
【請求項２】
前記内側ポケットが挿入され得るジャケットをさらに備え、該ジャケットが、該封筒の口に挿入可能であり、該ジャケットが、強化材料からなる、請求項１に記載のシステム。
【請求項３】
前記内側ポケットが高密度のポリエチレン繊維材料からなる、請求項１に記載のシステム。
【請求項４】
前記デジタルメディアがＤＶＤである、請求項１に記載のシステム。
【請求項５】
前記封筒が、７５ｇ／ｍ２未満の紙の重さを有する軽量紙からなる、請求項１に記載のシステム。
【請求項６】
前記強化材料が、ボール紙またはプラスチックのうちの一方である、請求項２に記載のシステム。
【請求項７】
前記シール部分の前記再封部分が、一つの縁部に沿って前記封筒の前記口に接合し、別の縁部に沿って該シール部分の前記分離可能な部分に接合する、折り曲げ可能なフラップである、請求項２に記載のシステム。
【請求項８】
前記シール部分の再封部分の内面が接着剤でコーティングされている、請求項１に記載のシステム。
【請求項９】
デジタルメディアを運搬するためのシステムであって、該システムは、
該デジタルメディアがその内部に挿入され得る折り曲げ可能なジャケットと、
前面および裏面を有する封筒であって、該折り曲げ可能なジャケットがその内部に挿入され得る口と、該封筒の内側に該折り曲げ可能なジャケットの封をし、分離可能な部分および再封可能な部分を有するシール部分と、を有する封筒と
を備え、
該封筒の前面は、郵便宛先を表示し、
該分離可能部分は、該封筒の前面の該郵便宛先を覆い、
該封筒は、該シール部分の分離可能な部分を切り離すことによって、開封され得、該郵便宛先が明らかになり、
該封筒は、該シール部分の該分離可能な部分が切り離された後、該シール部分の再封部分を使用して、再封され得、
該折り曲げ可能なジャケットは強化材料からなり、
該折り曲げ可能なジャケットの内面が非磨耗性テクスチャを有する、システム。
【請求項１０】
前記封筒が、７５ｇ／ｍ２未満の紙の重さを有する軽量紙からなる、請求項９に記載のシステム。
【請求項１１】
前記強化材料が、ボール紙またはプラスチックのうちの一方である、請求項９に記載のシステム。
【請求項１２】
前記シール部分の前記再封部分が、一つの縁部に沿って前記封筒の前記口に接合し、別の縁部に沿って該シール部分の前記分離可能な部分に接合する、折り曲げ可能なフラップである、請求項９に記載のシステム。
【請求項１３】
前記シール部分の再封部分の内面が接着剤でコーティングされている、請求項９に記載のシステム。
【請求項１４】
前記分離可能な部分が取り除かれる前に、第２の郵便宛先のみが表示されるように、該第２の郵便宛先が該分離可能な部分に表示される、請求項１または９に記載のシステム。
【国際調査報告】
2007507401.tif 000009